(57)【要約】  【課題】  カウンター、特に顧客などの来訪者のある場所に用いられるカウンターであって、そのカウンターでの用事のある来訪者が、傘や杖など長尺携帯品を用事を済ますまで、そのカウンターに一時的に収納できるカウンターを提供すること。  【解決手段】  カウンターの天板の周縁部がこのカウンターの側部よりも突き出るように形成され、周縁部には、傘又は杖による長尺携帯品を収納する収納凹部が、天板の周縁から平面視内方に凹設された形状で上下に貫通して設けられている。そのカウンターが、長尺で且つ店舗での顧客の代金処理の為に用いられるレジカウンターであり、顧客が、代金処理のために長尺の片端側から他端側に移動するように用いられると共に、片端側と他端側との２箇所に収納凹部が設けられている。  【選択図】  図１
0003139093.tif 000002
【実用新案登録請求の範囲】
【請求項１】
カウンターの天板の周縁部がこのカウンターの側部よりも突き出るように形成され、
前記周縁部には、傘又は杖による長尺携帯品を収納する収納凹部が、天板の周縁から平面視内方に凹設された形状で上下に貫通して設けられたことを特徴とするカウンター。
【請求項２】
カウンターが、長尺で且つ店舗での顧客の代金処理の為に用いられるレジカウンターであり、
前記顧客が、前記代金処理のために前記長尺の片端側から他端側に移動するように用いられると共に、前記片端側と前記他端側との２箇所に収納凹部が設けられたことを特徴とする請求項１記載のカウンター。
【請求項３】
カウンターがサッカー台であることを特徴とする請求項１記載のカウンター。
【請求項４】
天板の上面が人造大理石の板材で形成され、収納凹部を設ける箇所の前記板材下面に、人造大理石の板材を積層させた部位に設け、
前記収納凹部が、周縁部の前記部位に設けられたことを特徴とする請求項１〜３のいずれかに記載のカウンター。
【考案の詳細な説明】
【技術分野】
【０００１】
この考案は、カウンター、特に顧客などの来訪者のある場所に用いられるカウンターの改良に関する。
【背景技術】
【０００２】
例えば、スーパーのレジカウンターでは、傘や杖などを持っている顧客は、レジカウンターでの従業員との対応の際に、その傘や杖が邪魔になる場合がある。そんな場合には、その傘をカウンターに立て掛けるが、倒れることもしばしばあり、具合が悪い。ショッピングカートがあるときには、これに傘の柄のアール部分を引っ掛けるなどして、それなりに間に合ってはいるが、それでもカートを前に進める拍子に引っ掛けが外れて、床に落とすなどすることもしばしばある。
【０００３】
こうしたことは、傘に限らず、杖などにも同様のことが云える。
【０００４】
その為に、図２２に示すように、傘Ｋの柄のアール部分の先端Ｋａを係止可能するための係止凹部を有して、レジカウンターの上面などに備えられる、傘の滑り止め具１が提供されている（特許文献１参照）。
【特許文献１】特開平１１−３１８６８１号公報
【０００５】
また店舗では、レジカウンターの他に、サッカー台が多用されている。これは、代金処理の済んだ商品を、いわゆるレジ袋に詰めたりする作業台のことであり、作業時には、傘や柄をそのサッカー台に立て掛けるなどするが、やはり倒れるなどして不便なこともしばしばある。
【０００６】
なおこの様なカウンターの天板は、一般には、図２３に示すような木材による平面状の骨組み２に、メラミン化粧板を貼ったベニヤが上面板３として貼られ、何も貼ってないベニヤが下面板４とが貼られている（図２４参照）。また天板の周縁には、帯状の化粧材５が、骨組み２の外周に取り付けられて周設されている。
【０００７】
また最近は、人造大理石が安価に入手できるので、このような人造大理石による天板も用いられるようになっている。この人造大理石は、切断するとその切断面にも大理石の模様が現れるものであり、例えば１ｃｍ厚の板材６の終端を図２５のように貼り合わせて、この折り曲げ部７を天板の縁取りにして、大理石の高級感を出している。この貼り合わせ部７の縦幅は３ｃｍから５〜６ｃｍ程度になっており、天板の見かけの厚みを演出している。
【考案の開示】
【考案が解決しようとする課題】
【０００８】
傘には、柄がアール形状になっていないものもあり、杖などは柄がＬ状などであったりして、アール形状を想定した上記のような滑り止め具では不十分な場合がある。
【０００９】
よってこれらの状況を鑑み、本願考案の課題は、カウンター、特に顧客などの来訪者のある場所に用いられるカウンターであって、そのカウンターでの用事のある来訪者が、傘や杖など長尺携帯品を、その用事を済ますまで、一時的に収納させることのできるカウンターを提供することにある。
【課題を解決するための手段】
【００１０】
本願請求項１のカウンターの考案は、カウンターの天板の周縁部がこのカウンターの側部よりも突き出るように形成され、前記周縁部には、傘又は杖による長尺携帯品を収納する収納凹部が、天板の周縁から平面視内方に凹設された形状で上下に貫通して設けられたことを特徴とする。
【００１１】
請求項２記載の考案は、請求項１記載のカウンターであって、カウンターが、長尺で且つ店舗での顧客の代金処理の為に用いられるレジカウンターであり、前記顧客が、前記代金処理のために前記長尺の片端側から他端側に移動するように用いられると共に、前記片端側と前記他端側との２箇所に収納凹部が設けられたことを特徴とする。
【００１２】
請求項３記載の考案は、請求項１記載のカウンターであって、カウンターがサッカー台であることを特徴とする。
【００１３】
請求項４記載の考案は、請求項１〜３のいずれかに記載のカウンターであって、天板の上面が人造大理石の板材で形成され、収納凹部を設ける箇所の前記板材下面に、人造大理石の板材を積層させた部位に設け、前記収納凹部が、周縁部の前記部位に設けられたことを特徴とする。
【考案の効果】
【００１４】
本願請求項１記載の考案によれば、カウンターに傘や杖を収納できるので、この様に長尺携帯品を手放して、そのカウンターでの用事をすることができる。また、収納凹部はカウンターの天板の周縁内方に設けられ、天板から出っ張るなどしないので、来訪者が天板に沿って移動する際にも、引っかかるなどの邪魔になることはない。また同様に、収納される傘や杖も、天板周縁の内方に位置させ、換言すれば天板の板面内に立たせた状態の収納が成されるので、来訪者やその来訪者の手押しするカートがぶつかるなどの邪魔になることはない。
【００１５】
請求項２記載の考案は、レジカウンターにも請求項１記載の効果をもたらすものである。またこのレジカウンターにおいては、レジ待ちの列に並んでいる顧客が、順次、片端側に到達して買い物カゴをレジ店員に渡し、レジ打ちが済んでお金を払う他端側へと列が進んでゆく場合を想定したものである。カゴを渡す片端側では、他端側で待っている先の顧客が終わるのを待つので、結局、片端側と他端側との２箇所が待ち位置になるが、この２箇に収納凹部を設けたので、それぞれの際に便宜の提供ができる。
【００１６】
請求項３記載の考案は、サッカー台にも請求項１記載の効果をもたらすものである。
【００１７】
請求項４記載の考案は、請求項１記載の効果に加え、天板の上面に人造大理石の板材が用いられ、しかも収納凹部を設ける箇所では、その板材の下面にも人造大理石を積層させて厚みを出したので、この箇所に収納凹部を凹設すると、収納凹部の内面として新たに人造大理石の面として現れる。この点、大理石でない天板は、一般に図２３に示したような内部構造になっているので、収納凹部を形成しようとすると、骨組みの木材や骨組みの奥の空洞が露出してしまうので、天板周縁と同様の縁取りと同じになるなどの、化粧加工を施さなければならない。これに較べ、本請求項４の人造大理石により天板であれば、通常、１ｃｍ厚の大理石であったとしても、収納凹部の箇所だけは、この人造大理石の板材を積層させて厚みを持たせてあり、その積層部分を切断などで凹設すれば、その切断面が大理石の地肌なので、多少の仕上げ磨きなどはあるものの、ほぼそのまま完成状態として用いることができ、木材の天板の時の様な化粧加工などが不要になる。
【考案を実施するための最良の形態】
【００１８】
次に本願考案の実施例を、図を持って説明する。
【実施例１】
【００１９】
図１〜５に示すのは、スーパーなどに設置するレジカウンター１０であり、４本の脚部１１に、１８０ｃｍ×５０ｃｍの長手の天板１２と、その長手の両端に設けられた補助天板１３とが、作業台として設けられている。このレジカウンターは高さ調整可能に設けられているが、天板１２は、おおよそ床から６０ｃｍの高さになっている。また天板１２の長手中央には、レジ機１４が設置されている。そして、レジ待ちの列に並んでいる顧客が、順次、長手な天板１２の片端１２ａに到達して買い物カゴをレジ店員に渡し、お金を払う他端１２ｂへと進んで、レジ打ちが済むのを待ち、精算するという用いられ方をする。
【００２０】
従ってこのレジカウンター１０は、天板１２の長手の両側が、店員側１２ｘと顧客側１２ｙとの対面式になっている。そして天板１２の顧客側１２ｙは、その周縁部１５がこのカウンター１２の側部１６よりも６５ｍｍ突き出て形成されている。そして、天板の長手両端１２ａ，１２ｂから２０ｃｍ中程に入った左右２箇所にて、天板１２の周縁１７から平面視内方に凹設された形状で、上下に貫通した収納凹部１８が設けられている。
【００２１】
この天板１２は、上面に人造大理石の板材が用いられており、図６に示すように、人造大理石による板材２０の顧客側の周縁に、垂れ部２１が縁取りとして貼着されている。また収納凹部を設けた箇所には、図６〜７に示す様に、人造大理石の板材２０の下面側に、人造大理石の板材２２を積層させた部位２３が、垂れ部２１に当接させた状態で設けられている。そして収納凹部を設けるときには、この部位２３を積層ごと収納凹部１８の形状に切断して形成されている。詳しくはこの収納凹部１８は、奥行きＤが５５ｍｍで、奥の形状が半径２５ｍｍの半円形状Ｒａであり、また開口は半径３０ｍｍの部分円Ｒｂにひらいて形成されている。
【００２２】
収納凹部１８の内周面は切断面になるが、この切断面には積層された人造大理石の断面が、新たな大理石の地肌として現れるので、そのまま化粧面として用いることができる。実際には、多少の研磨を行い、上面と内周面との角を面取りするなどの軽微な作業をするだけで、収納凹部１８が完成する。
【００２３】
この収納凹部１８の使用方法であるが、レジ待ちの顧客は、傘や杖などの長尺携帯品を持っている場合には、図８に示す様に、ここにその傘Ｋや杖を収納させておくことができ。収納凹部１８は奥が半円形であるが、開口は図示したようにひらいているので、傘の骨が拡がり気味の場合でも収納させやすくなっている。杖の場合であれば、単に入れて収納させるだけでよい。
【００２４】
具体的には、レジ待ちの列に並んでいる顧客が、レジカウンターの片端側１２ａに到達してたら、買い物カゴを例えばカートから降ろし（図示せず）、天板１２に乗せてレジ店員に渡すのである。このとき、買い物カゴが重ければ両手で持ちたいが、傘Ｋなどに片手がとられていたら、傘Ｋを収納凹部１８ａに収納させておき、両手で買い物カゴを降ろすことができる。カートが上下２段置きになっていて、下の段にも買い物カゴがあるなら、なおのこと両手を使わないといけないが、この場合でも、傘Ｋがレジカウンター側に収納できるので、便利である。
【００２５】
店員が降ろした買い物カゴのレジ打ちをしている間に、顧客は、お金を払う他端側１２ｂへと進んでレジ打ちが終わるのを待つのであるが、移動の時には、片端側１２ａの収納凹部１８ａから傘Ｋを取り出し、移動した他端側１２ｂの収納凹部１８ｂに再度収納させておく。代金の支払いやお釣りの受け取りやをするが、この場合でも、両手を使うからである。この様にして、２箇所の収納凹部１８を使用するのである。
【実施例２】
【００２６】
次に実施例２のカウンター３０を図９〜１４に示す。このカウンターはサッカー台３０であり、方形な天板３１の一角に、買い物カゴのおけるスペース分の切り欠き３２が設けられていて、空になった買い物カゴが積み上げられるようになっている。天板３１は人造大理石ではなく、従来技術の図２２に示したと同様の骨組みが図９の平面図類似の形状に組まれており、これに図２３と同様、メラミン化粧板を貼ったベニヤが上面板として貼られ、何も貼ってないベニヤが下面板とが貼られている。
【００２７】
このサッカー台３０は、四方から使用されるものであり、図示したような５箇所に収納凹部３３が設けられている。収納凹部３３はどの様に設けてもよい。例えば、上述の骨組みに上面と下面が貼られて一旦完成した天板に、改めて収納凹部３３を切り取ってもよい。この場合、切り取って露出した切断面に化粧板を貼るなどして、他の周縁部分と同様の外見にしてもよい。
【実施例３】
【００２８】
図１５〜２０は別のサッカー台４０であり、壁などに寄せて設置し、長手の片側４１のみから使用するものである。そのため、その片側４１だけに、３つの収納凹部４２が設けてある。
【実施例４】
【００２９】
収納凹部５０は、図示したような形状でなくてもよい。例えば、図２１（ａ）に示すように略方形であってもよく、同（ｂ）の略Ｖ字形でもよい。これらは傘などを狭む形状になっているが、同（ｃ）のように緩い凹みにして、挟む形状ではなく、単に凹みにもたれ掛けさせ、倒れない為だけのものであってもよい。また図２４に示したように、天板の周縁に帯状の化粧材５を取り付ける場合には、この様に緩い凹みであると取り付け作業が容易になる利点がある。杖の収納だけを予定するのであれば、同（ｄ）のように、細い収納凹部を杖の太さより一回り幅広に設け、開口だけを収納させるときのガイド用に、テーパーに拡げたものでもよい。
【図面の簡単な説明】
【００３０】
【図１】この図は、実施例１のレジカウンターの平面図である。
【図２】この図は、実施例１の正面図である。
【図３】この図は、実施例１の底面図である。
【図４】この図は、実施例１の右側面図であり、左側面図も同様である。
【図５】この図は、実施例１の背面図である。
【図６】この図は、収納凹部を設ける箇所の断面を示す図である。
【図７】この図は、収納凹部と人造大理石の積層との関係を説明する図である。
【図８】この図は、収納凹部に傘を収納させた使用例の図である。
【図９】この図は、実施例２のサッカー台の平面図である。
【図１０】この図は、実施例２の正面図である。
【図１１】この図は、実施例２の底面図である。
【図１２】この図は、実施例２の右側面図である。
【図１３】この図は、実施例２の左側面図である。
【図１４】この図は、実施例２の背面図である。
【図１５】この図は、実施例３のサッカー台の平面図である。
【図１６】この図は、実施例３の正面図である。
【図１７】この図は、実施例３の底面図である。
【図１８】この図は、実施例３の右側面図である。
【図１９】この図は、実施例３の左側面図である。
【図２０】この図は、実施例３の背面図である。
【図２１】この図は、実施例４の収納凹部の様々な形状を示す図である。
【図２２】この図は、従来技術の傘の滑り止め具の説明図である。
【図２３】この図は、天板の骨組みの平面図である。
【図２４】この図は、天板の周縁の断面を説明する図である。
【図２５】この図は、人造大理石を用いた天板の説明図である。
【符号の説明】
【００３１】
１０  レジカウンター
１２  天板
１５  周縁部
１６  側部
１７  周縁
１８  収納凹部
２０  人造大理石の板材
２１  人造大理石の垂れ部
２２  積層させる人造大理石の板
３０、４０  サッカー台
３３，４２，５０  収納凹部
Ｋ  長尺携帯品としての傘
【図１】
0003139093.tif 000003
【図２】
0003139093.tif 000004
【図３】
0003139093.tif 000005
【図４】
0003139093.tif 000006
【図５】
0003139093.tif 000007
【図６】
0003139093.tif 000008
【図７】
0003139093.tif 000009
【図８】
0003139093.tif 000010
【図９】
0003139093.tif 000011
【図１０】
0003139093.tif 000012
【図１１】
0003139093.tif 000013
【図１２】
0003139093.tif 000014
【図１３】
0003139093.tif 000015
【図１４】
0003139093.tif 000016
【図１５】
0003139093.tif 000017
【図１６】
0003139093.tif 000018
【図１７】
0003139093.tif 000019
【図１８】
0003139093.tif 000020
【図１９】
0003139093.tif 000021
【図２０】
0003139093.tif 000022
【図２１】
0003139093.tif 000023
【図２２】
0003139093.tif 000024
【図２３】
0003139093.tif 000025
【図２４】
0003139093.tif 000026
【図２５】
0003139093.tif 000027